(57)【要約】  興行を盛り上げることに寄与できる情報提供システムを提供する。  アドレス情報（Ａ）に対応する表示情報（Ｉｄ）を配信する配信装置（１４）と、アドレス情報（Ａ）に識別情報（Ｄｉ）を対応させる制御装置（１２）と、興行（Ｄｒ）を行う場所（Ｔｈ）に配置され、識別情報（Ｄｉ）を符号化した発信信号（Ｓｄ）を発信する発信機（１１）と、発信機（１１）から発信された発信信号（Ｓｄ）を受信して識別情報（Ｄｉ）に復号する受信端末機（１３）と、を備える情報提供システム（１０）である。  表示情報（Ｉｄ）は、興行の各出場者が獲得した獲得票数（Ｖ）の順位を示し、配信装置（１４）は、獲得票数（Ｖ）の順位を示す表示情報（Ｉｄ）を所定の時間毎に更新し、その複数の表示情報（Ｉｄ）に対応してアドレス情報（Ａ）を設定し、制御装置（１２）は、受信端末機（１３）から識別情報（Ｄｉ）を受け取ると、その識別情報（Ｄｉ）に対応するものとして最新の表示情報（Ｉｄ）に対応するアドレス情報（Ａ）を受信端末機（１３）に送る。
2018011875.tif 000002
【特許請求の範囲】
【請求項１】
アドレス情報に対応する表示情報を配信する配信装置と、
前記アドレス情報に識別情報を対応させる制御装置と、
興行を行う場所に配置され、前記識別情報を符号化した発信信号を発信する発信機と、
前記発信機から発信された前記発信信号を受信して前記識別情報に復号する受信端末機と、を備え、
前記表示情報は、前記興行の各出場者が獲得した獲得票数の順位を示し、
前記配信装置は、前記獲得票数の順位を示す前記表示情報を所定の時間毎に更新し、その複数の前記表示情報に対応して前記アドレス情報を設定し、
前記制御装置は、前記受信端末機から前記識別情報を受け取ると、その前記識別情報に対応するものとして最新の前記表示情報に対応する前記アドレス情報を前記受信端末機に送ることを特徴とする情報提供システム。
【請求項２】
前記獲得票数は、前記興行における前記各出場者に対する投票数であることを特徴とする請求項１に記載の情報提供システム。
【請求項３】
前記獲得票数は、前記興行において前記各出場者に関連する物品の売り上げに基づく数値であることを特徴とする請求項１に記載の情報提供システム。
【請求項４】
前記獲得票数は、前記興行における前記各出場者に対する投票数と、前記興行において前記各出場者に関連する物品の売り上げと、に基づく数値であることを特徴とする請求項１に記載の情報提供システム。
【請求項５】
前記制御装置は、前記発信機が発信する前記発信信号が示す前記識別情報に、最新の前記表示情報に対応する前記アドレス情報を対応させることを特徴とする請求項１から請求項４のいずれか１項に記載の情報提供システム。
【請求項６】
前記制御装置は、複数の前記アドレス情報に個別に対応して複数の前記識別情報を設定し、
前記発信機は、複数の前記識別情報を符号化した複数の前記発信信号を順番に発信し、
前記制御装置は、前記発信機が発信する最新の前記発信信号が示す前記識別情報に、最新の前記表示情報に対応する前記アドレス情報を対応させることを特徴とする請求項１から請求項４のいずれか１項に記載の情報提供システム。
【請求項７】
アドレス情報に対応する表示情報を配信する配信装置と、前記アドレス情報に識別情報を対応させる制御装置と、興行を行う場所に配置され、前記識別情報を符号化した発信信号を発信する発信機と、前記発信機から発信された前記発信信号を受信して前記識別情報に復号する受信端末機と、を備え、前記表示情報が前記興行の各出場者が獲得した獲得票数の順位を示す情報提供システムに、
前記配信装置に、前記獲得票数の順位を示す前記表示情報を所定の時間毎に更新させ、その複数の前記表示情報に対応して前記アドレス情報を設定させる機能と、
前記制御装置に、前記受信端末機から前記識別情報を受け取ると、その前記識別情報に対応するものとして最新の前記表示情報に対応する前記アドレス情報を前記受信端末機に送る機能と、
を実現させることを特徴とするプログラム。
【発明の詳細な説明】
【技術分野】
【０００１】
本発明は、複数の情報を提供する情報提供システムおよびプログラムに関する。
【背景技術】
【０００２】
演劇やスポーツ等の興行では、様々な趣向を凝らして観客を楽しませることが考えられている（例えば、特許文献１参照）。
【先行技術文献】
【特許文献】
【０００３】
【特許文献１】特開２００８−１６１２９０号公報
【発明の概要】
【発明が解決しようとする課題】
【０００４】
ここで、興行を楽しむ観客は、観るだけではなく、何らかの形で興行に参加したいとの欲求がある。他方、興行を行う興行主は、観客が興行と一体となり楽しんで貰いたいと望んでいる。これらのことを満たすことで、興行をより盛り上げることができる。【０００５】
本発明は、上記の事情に鑑みて為されたもので、興行を盛り上げることに寄与できる情報提供システムを提供することにある。
【課題を解決するための手段】
【０００６】
本発明の情報提供システムは、アドレス情報に対応する表示情報を配信する配信装置と、前記アドレス情報に識別情報を対応させる制御装置と、興行を行う場所に配置され、前記識別情報を符号化した発信信号を発信する発信機と、前記発信機から発信された前記発信信号を受信して前記識別情報に復号する受信端末機と、を備え、前記表示情報は、前記興行の各出場者が獲得した獲得票数の順位を示し、前記配信装置は、前記獲得票数の順位を示す前記表示情報を所定の時間毎に更新し、その複数の前記表示情報に対応して前記アドレス情報を設定し、前記制御装置は、前記受信端末機から前記識別情報を受け取ると、その前記識別情報に対応するものとして最新の前記表示情報に対応する前記アドレス情報を前記受信端末機に送ることを特徴とする。
【発明の効果】
【０００７】
本発明の情報提供システムでは、興行を盛り上げることに寄与できる。
【図面の簡単な説明】
【０００８】
【図１】本発明の情報提供システムの一実施形態に係る実施例１の情報提供システム１０の概要を示す説明図である。
【図２】情報提供システム１０の構成をブロック図で示す説明図である。
【図３】発信機１１に設定された各識別情報Ｄｉと配信装置１４が生成する各獲得票数ランキングＲａ（そのアドレス情報Ａ）との関係を示す説明図である。
【図４】端末表示部４４に表示される獲得票数ランキングＲａ１の一例を示す説明図である。
【図５】端末表示部４４に表示される獲得票数ランキングＲａ２の一例を示す説明図である。
【図６】端末表示部４４に表示される獲得票数ランキングＲａｎ（ｎ＞３）の一例を示す説明図である。
【図７】配信制御部５１で実行される一例としての配信情報生成処理を示すフローチャートである。
【図８】演算制御部３１で実行される一例としての対応付処理を示すフローチャートである。
【図９】発信制御部２１で実行される一例としての発信処理を示すフローチャートである。
【図１０】端末制御部４１で実行される一例としての識別情報取得処理を示すフローチャートである。
【図１１】端末制御部４１で実行される一例としての登録情報取得処理を示すフローチャートである。
【発明を実施するための形態】
【０００９】
以下に、本願発明に係る情報提供システムおよびプログラムの実施例について図面を参照しつつ説明する。
【実施例１】
【００１０】
本発明に係る情報提供システムおよびプログラムの一実施例としての情報提供システム１０（そこで用いるプログラム（アプリケーション））の概略的な構成を、図１から図１１を用いて説明する。なお、図１では、情報提供システム１０の構成の理解を容易とすべく劇場Ｔｈを簡略化して示す。【００１１】
先ず、情報提供システム１０の概要を、図１および図２を用いて説明する。情報提供システム１０は、演劇やスポーツ等の興行を盛り上げることに寄与できるものである。その興行を行う場所としては、例えば、劇場や文化的複合施設や商業施設や各種の競技を行う屋外施設（競技場（スタジアム））等の建物（その敷地等を含めてもよい）があり、図１では演劇Ｄｒを行う劇場Ｔｈに用いた一例を示す。この情報提供システム１０では、発信機１１から発信信号Ｓｄ（図２参照）を発信し、その発信信号Ｓｄを各観客Ａｕが持つ各受信端末機１３に受信させる。情報提供システム１０は、単一の発信機１１から一度（同時刻）に１種類の発信信号Ｓｄのみの発信が可能である。実施例１の情報提供システム１０は、発信機１１において発信可能な発信信号Ｓｄ（すなわち後述する識別情報Ｄｉ）が複数設定され、発信機１１が各発信信号Ｓｄ（識別情報Ｄｉ）を順番に発信することで、各受信端末機１３に複数の情報を受信させる。【００１２】
情報提供システム１０は、発信機１１と制御装置１２（図２参照）と受信端末機１３と配信装置１４とを備える。その発信機１１は、興行を行う場所（この例では演劇Ｄｒを行う劇場Ｔｈ）に設けられ、後述する識別情報Ｄｉを符号化し発信信号Ｓｄを発信（出力）する（図２参照）。発信機１１は、Ｗｉ−Ｆｉ（ワイファイ（登録商標））やＮＦＣ(ＮＥＡＲ  Ｆｉｅｌｄ  Ｃｏｍｍｕｎｉｃａｔｉｏｎ（登録商標）)やブルートゥース（登録商標））や音響（そこに信号を重畳させたもの）等の近距離無線通信を利用して発信信号Ｓｄを発信するものであり、その発信信号Ｓｄを各受信端末機１３に取得させる。この発信信号Ｓｄは、受信端末機１３との間で予め設定した通信方式に従い識別情報Ｄｉを符号化したものであり、実施例１ではブルートゥースロウエナジー（Ｂｌｕｅｔｏｏｔｈ  Ｌｏｗ  Ｅｎｅｒｇｙ（登録商標））の無線通信方式でビーコン（Ｂｅａｃｏｎ）の管理フレームを用いるものとする。発信機１１は、自らに設定された複数の識別情報Ｄｉが各々符号化された各発信信号Ｓｄを発信することが可能な任意の情報処理装置である。発信機１１は、連続的か間欠的かを問わず電波を発信するものであり、実施例１では、間欠的に電波を発信するすなわち所定のタイミングで定期的にかつ繰り返して電波を発信するもの（所謂ビーコン端末）とし、当該電波として発信信号Ｓｄを発信する。このような発信機１１は、例えば、専用の端末機、スマートフォン、パーソナルコンピュータ、およびタッチパッド等で形成でき、実施例１では、小型のパーソナルコンピュータで形成する。【００１３】
この発信機１１は、図２に示すように、発信制御部２１と発信通信部２２と発信出力部２３と発信記憶部２４とを有する。その発信制御部２１は、次の各処理を、発信記憶部２４もしくは内蔵する内部メモリ２１ａに記憶されたプログラムにより統括的に行う。その各処理としては、発信通信部２２による後述する発信操作Ｏｄの取得処理や、その発信操作Ｏｄや後述する時間間隔に応じて発信出力部２３から発信信号Ｓｄを発信（出力）させる発信処理等がある。【００１４】
発信通信部２２は、制御装置１２（その後述する制御操作部３２）に当該発信機１１に設定された各識別情報Ｄｉ（図２参照）を送信したり、その制御装置１２（制御操作部３２）から後述する発信操作Ｏｄを取得したりする。発信出力部２３は、発信制御部２１によりブルートゥースロウエナジーの無線通信方式でビーコンの管理フレームを用いて生成された発信信号Ｓｄを出力する。この発信出力部２３は、発信制御部２１の制御下で、自らに設定された各識別情報Ｄｉを符号化した各発信信号Ｓｄを、予め設定された時間間隔で予め設定された順番に発信する。この時間間隔および順番は、発信機１１の製造段階で設定されていてもよく、制御装置１２（その後述する演算制御部３１）からの指令により設定されてもよい。この発信通信部２２と発信出力部２３とは、実施例１では、ＵＳＢ（Ｕｎｉｖｅｒｓａｌ  Ｓｅｒｉａｌ  Ｂｕｓ（登録商標））タイプの通信端末で一体的に形成され、発信機１１を構成する小型のパーソナルコンピュータの本体に接続されて設けられる。【００１５】
発信記憶部２４は、発信制御部２１の制御下で、その各処理のためのプログラムや各発信信号Ｓｄを記憶するとともに、後述する発信操作Ｏｄにより変更された時間間隔を適宜記憶し、それらの読み出しを可能とする。また、発信記憶部２４は、実施例１では、発信機１１を制御装置１２、各受信端末機１３および配信装置１４と協働して情報提供システム１０を構成させるプログラムを記憶（保存）する。そして、発信記憶部２４は、実施例１では、発信信号Ｓｄの発信を行う発信処理のためのアプリケーションを記憶（保存）する。【００１６】
制御装置１２は、後述するように配信装置１４で設定された複数のアドレス情報Ａに、発信機１１に設定された複数の識別情報Ｄｉを、個別に対応させて設定する。そのアドレス情報Ａは、配信装置１４が有する後述する表示情報Ｉｄ（獲得票数ランキングＲａ）を表示させるウェブサイトＷｓの所在を示すものである。この制御装置１２は、後述する表示情報Ｉｄ（獲得票数ランキングＲａ）が生成されると、それを表示させるアドレス情報Ａ（ウェブサイトＷｓ）に、未だ対応されていない識別情報Ｄｉの中から時系列で見て最初に発信する発信信号Ｓｄが示す識別情報Ｄｉを対応させる（対応付処理）。このため、制御装置１２は、後述するように更新される表示情報Ｉｄ（獲得票数ランキングＲａ）のうちの最新のものに対応するアドレス情報Ａ（ウェブサイトＷｓ）を、発信機１１が発信する最新の発信信号Ｓｄ（識別情報Ｄｉ）に対応させる。【００１７】
制御装置１２は、図２に示すように、演算制御部３１と制御操作部３２と制御通信部３３と制御表示部３４と制御記憶部３５とを有する。この制御装置１２は、実施例１では、制御記憶部３５にプログラムを記憶させたコンピュータで形成する。なお、そのプログラムは、演算制御部３１の内部メモリ３１ａに記憶してもよい。【００１８】
その演算制御部３１は、次の各処理を、制御記憶部３５もしくは内蔵する内部メモリ３１ａに記憶されたプログラムにより統括的に行う。その各処理としては、制御操作部３２に為された操作に基づく設定処理および実行処理や、制御通信部３３を介するデータの取得処理および出力処理や、制御表示部３４の駆動制御処理や、各識別情報Ｄｉの対応付処理等がある。また、演算制御部３１は、制御操作部３２による各種設定や実行のための画面を制御表示部３４に表示させる機能を有する。演算制御部３１は、制御操作部３２への操作に基づき、あるいは制御記憶部３５（内部メモリ３１ａ）に記憶されたプログラムに従い、上述した各動作（制御）を適宜実行する。【００１９】
制御操作部３２は、各アドレス情報Ａの入力や、その各アドレス情報Ａと各識別情報Ｄｉとの対応付けの操作や、発信操作Ｏｄを出力する操作を行う箇所である。その発信操作Ｏｄは、発信機１１から次の順番の発信信号Ｓｄを任意のタイミングで発信（出力）させる操作であり、最初の発信信号Ｓｄを発信（出力）させることや（各発信信号Ｓｄの発信の開始）、それ以降の各発信信号Ｓｄの発信（出力）までの予め設定された時間間隔を変更させることができる。この制御操作部３２は、実施例１では、コンピュータに接続されたキーボードや、マウス等のポインティングデバイスで構成する。なお、制御操作部３２は、制御表示部３４をタッチパネルの機能を搭載するものとして、その制御表示部３４により構成してもよい。【００２０】
なお、この発信操作Ｏｄの操作を行うために、制御装置１２とは別体の操作端末を用いるものとしてもよい。この操作端末では、制御装置１２で設定された各アドレス情報Ａと各識別情報Ｄｉとの対応を示す画面や現時点で発信機１１が発信している発信信号Ｓｄに対応する識別情報Ｄｉとの関係性を示す画面を表示できるものとすると、発信操作Ｏｄの操作の使い勝手を向上できる。また、操作端末では、各アドレス情報Ａと各識別情報Ｄｉとを対応させる対応付処理のための操作をできるものとすると、情報提供システム１０の使い勝手をさらに向上できる。このような操作端末は、制御部と操作部と通信部と表示部と記憶部とを有し、その記憶部にプログラムを記憶させたコンピュータで形成でき、例えば、スマートフォンで形成できる。【００２１】
制御通信部３３は、制御装置１２に接続された外部機器や、制御装置１２が内蔵する内部機器や、ネットワーク接続されたサーバ等から適宜データの取得を可能とする。その取得するデータとしては、後述するように配信装置１４で設定された複数のアドレス情報Ａや発信機１１に設定された各識別情報Ｄｉ（図２参照）があり、外部機器や内部機器としては、ＣＤ等の記録媒体に記録されたデータを読み取るデータ取得機構がある。また、制御通信部３３は、発信通信部２２を介して発信機１１（その発信制御部２１）や、後述する配信通信部５３を介して配信装置１４（その後述する配信制御部５１）や、後述する端末通信部４５を介して受信端末機１３（その後述する端末制御部４１）と、データの遣り取りを可能とする。その遣り取りするデータとしては、配信装置１４（配信制御部５１）が設定した複数のアドレス情報Ａや、発信機１１に設定された各識別情報Ｄｉ（図２参照）がある。【００２２】
制御表示部３４は、液晶ディスプレイで形成され、演算制御部３１の制御下で、後述するように各アドレス情報Ａ（図２参照）と各識別情報Ｄｉとの対応を示す画面（その対応付処理のための画面も含む）等を表示する。制御記憶部３５は、演算制御部３１の制御下で、各種データやプログラムを記憶するとともに、それらの読み出しを可能とする。この制御記憶部３５は、実施例１では、制御装置１２を発信機１１、各受信端末機１３および配信装置１４と協働して情報提供システム１０を構成させるプログラムを記憶（保存）する。また、制御記憶部３５は、各識別情報Ｄｉと各アドレス情報Ａとを対応付ける対応付処理のためのアプリケーションを記憶（保存）する。そして、制御記憶部３５は、各識別情報Ｄｉと各アドレス情報Ａとの対応付けを適宜記憶（保存）する。【００２３】
この情報提供システム１０は、制御装置１２（演算制御部３１）でアドレス情報Ａが対応付けされた各識別情報Ｄｉを示す発信信号Ｓｄを発信機１１から発信させる。そして、情報提供システム１０は、発信機１１から発信された発信信号Ｓｄを、興行に集まった人々（図１の例では各観客Ａｕ）が持つ各受信端末機１３で受信可能とする。その受信端末機１３は、発信信号Ｓｄを取得可能であり、その発信信号Ｓｄを識別情報Ｄｉに復号することができ、その識別情報Ｄｉに対応付けられたアドレス情報Ａが所在を示すウェブサイトＷｓ（図４から図６参照）や制御装置１２（その演算制御部３１）へのアクセスが可能な任意の情報処理装置である。受信端末機１３は、例えば、スマートフォン、携帯電話機、パーソナルコンピュータ、タッチパッド、ゲーム用コンソールおよび電子書籍リーダー等で形成され、実施例１では、スマートフォンとする。【００２４】
この受信端末機１３は、端末制御部４１と受信部４２と端末入力部４３と端末表示部４４と端末通信部４５と端末記憶部４６とを有する。この端末制御部４１は、その端末記憶部４６もしくは内蔵する内部メモリ４１ａに記憶されたプログラムにより受信端末機１３を統括的に制御する。端末制御部４１は、後述するように受信部４２から発信信号Ｓｄを取得すると、その発信信号Ｓｄを識別情報Ｄｉに復号する機能や、端末表示部４４に為された操作に応じて制御装置１２（その演算制御部３１）から識別情報Ｄｉに対応付けられたアドレス情報Ａを取得する機能を有する。また、端末制御部４１は、任意のアドレス情報が所在を示すウェブサイトへのアクセスが可能であり、例えば、この興行に関連するウェブサイトの閲覧や、当該興行に関連する物品の販売を行うウェブサイトにおいて各出場者（各演者Ｐ）に関連する物品の購入等を可能とする機能を有する。【００２５】
受信部４２は、発信機１１の発信出力部２３から発信された発信信号Ｓｄを受信するものであり、実施例１ではブルートゥースロウエナジーの無線通信方式でビーコンの管理フレームを用いて生成された発信信号Ｓｄの受信を可能とする。この受信部４２は、取得した発信信号Ｓｄを端末制御部４１に出力する。【００２６】
端末入力部４３は、種々の操作が可能とされ、各識別情報Ｄｉに対応付けされた各アドレス情報Ａを取得する操作や、その各アドレス情報Ａを含む種々のアドレス情報が示すウェブサイト（ウェブサイトＷｓ（図４から図６参照）を含む）へのアクセスの操作が行われる。その端末入力部４３は、実施例１では、端末表示部４４をタッチパネルの機能を搭載するものとして、その端末表示部４４により構成する。なお、端末入力部４３は、接続されたキーボードや、マウス等のポインティングデバイスや受信端末機１３に設けたスイッチ等で構成してもよい。【００２７】
端末表示部４４は、端末制御部４１の制御下で、各識別情報Ｄｉおよび種々のアドレス情報（各アドレス情報Ａ）の選択のための画面や、アクセスしたウェブサイト（ウェブサイトＷｓ）が示す画像（後述する獲得票数ランキングＲａ（図４から図６参照）を含む）を表示する。端末通信部４５は、外部ネットワークとの通信を可能とし、端末制御部４１の制御下において、各情報を適宜受信して端末記憶部４６に記憶し、かつ端末記憶部４６に記憶された各情報を適宜送信する。実施例１では、受信端末機１３がスマートフォンであるので、端末通信部４５は無線通信が可能であり、制御通信部３３を介して制御装置１２（その演算制御部３１）や後述する配信通信部５３を介して配信装置１４（その配信制御部５１）とデータの遣り取りを可能とする。【００２８】
端末記憶部４６は、端末制御部４１の制御下で、各種データやプログラムを記憶し、かつそれらの読み出しを可能とする。この端末記憶部４６は、実施例１では、この受信端末機１３を発信機１１、制御装置１２および配信装置１４と協働して情報提供システム１０を構成させるプログラムを記憶（保存）する。また、端末記憶部４６は、発信信号Ｓｄを受信し、その受信した発信信号Ｓｄを識別情報Ｄｉに復号し、その識別情報Ｄｉを端末記憶部４６に記憶（保存）する識別情報取得処理や、その識別情報Ｄｉに対応付けられたアドレス情報Ａを制御装置１２（その演算制御部３１）から取得し、その操作のための画面を端末表示部４４に表示させる登録情報取得処理のためのアプリケーションを記憶（保存）する。【００２９】
このため、受信端末機１３では、当該アプリケーションを起動することで、発信機１１から発信された発信信号Ｓｄの受信や、その発信信号Ｓｄを復号した識別情報Ｄｉの取得や、その識別情報Ｄｉに対応付けられたアドレス情報Ａの取得およびその表示が可能である。そして、端末記憶部４６は、当該アプリケーションにより取得した識別情報Ｄｉやアドレス情報Ａを適宜記憶（保存）する。この受信端末機１３では、上記した構成により、アドレス情報Ａが示すウェブサイトＷｓ（図４から図６参照）へのアクセスが可能とされる。そのウェブサイトＷｓが表示する表示情報Ｉｄ（獲得票数ランキングＲａ）は、配信装置１４が配信する。【００３０】
その配信装置１４は、受信端末機１３等にウェブサイトＷｓ（ウェブページ（図４から図６参照））を配信するウェブサーバ等である。配信装置１４は、表示情報Ｉｄを設定し、その表示情報Ｉｄを表示させるウェブサイトＷｓの所在を示すアドレス情報Ａを設定する。その表示情報Ｉｄは、興行（この例では演劇Ｄｒ）の各出場者（この例では各演者Ｐ）が、この興行（演劇Ｄｒ）を行っている間において獲得した獲得票数Ｖ（図５、図６参照）で見た順位（獲得票数ランキングＲａ）を示す。その各出場者とは、この例の演劇Ｄｒにおける各演者Ｐを示すもので、例えば、興行がコンサートの場合は演奏者を示し、興行がスポーツの場合には各選手を示し、興行が映画の場合には出演者を示す。【００３１】
その獲得票数Ｖとは、一例として、興行を行う場所（この例では劇場Ｔｈ）で実施した各出場者（各演者Ｐ）に対する投票数が挙げられる。この投票は、当該場所（劇場Ｔｈ）に設置した投票箱に行うものであってもよく、各観客Ａｕが持つ各受信端末機１３で行うものであってもよい。また、獲得票数Ｖとは、他の一例として、当該場所（劇場Ｔｈ）や当該興行に関連する物品の販売を行うウェブサイトにおいて、各出場者（各演者Ｐ）に関連する物品の売り上げ点数やその金額に基づく数値が挙げられる。この場合、単に売り上げ点数を獲得票数Ｖとしたり売上金額を獲得票数Ｖとしたりしてもよく、点数や売上金額に応じたポイントを獲得票数Ｖとしてもよく、それらを適宜組み合わせてもよい。実施例１では、投票数および物品の売り上げを獲得票数Ｖとし、出場者（演者Ｐ）毎にそれぞれに応じたポイントを合算して集計することで獲得票数Ｖを算出する。【００３２】
配信装置１４は、興行（演劇Ｄｒ）を開始すると、その獲得票数Ｖの集計を行い、その集計に基づき所定の時間間隔で各出場者（各演者Ｐ）の獲得票数Ｖの順位を求め、その順位を表示する表示情報Ｉｄとしての獲得票数ランキングＲａ（図５、図６参照）を所定の時間間隔毎に作成する。そして、配信装置１４は、所定の時間間隔毎の獲得票数ランキングＲａ（各表示情報Ｉｄ）を表示させるウェブサイトＷｓとそれぞれのアドレス情報Ａとを設定する。このように、配信装置１４は、このように所定の時間間隔毎の獲得票数ランキングＲａ（各表示情報Ｉｄ）を作成し、それらを表示させる各ウェブサイトＷｓおよび各アドレス情報Ａを個別に設定する配信情報生成処理を行う。【００３３】
配信装置１４は、図２に示すように、配信制御部５１と配信操作部５２と配信通信部５３と配信表示部５４と配信記憶部５５とを有する。この配信装置１４は、実施例１では、配信記憶部５５にプログラムを記憶させたコンピュータで形成する。なお、そのプログラムは、配信制御部５１の内部メモリ５１ａに記憶してもよい。【００３４】
その配信制御部５１は、次の各処理を、配信記憶部５５もしくは内蔵する内部メモリ５１ａに記憶されたプログラムにより統括的に行う。その各処理としては、上述した獲得票数ランキングＲａ（各表示情報Ｉｄ）を作成して表示させる各ウェブサイトＷｓおよび各アドレス情報Ａを個別に設定する配信情報生成処理や、各受信端末機１３からのアドレス情報Ａに基づく要求に対するウェブサイトＷｓの配信処理等がある。その配信情報生成処理は、配信通信部５３を介して得たデータを用いて自動で作成および設定をするものでもよく、当該データを用いつつ配信操作部５２に為された操作に応じて作成および設定をするものでもよい。また、配信処理では、各受信端末機１３からアドレス情報（アドレス情報Ａを含む）に基づきウェブサイト（ウェブサイトＷｓを含む）が要求されると、そのアドレス情報が所在を示すウェブサイトを取得し、そのウェブサイトを受信端末機１３に配信する。これにより、受信端末機１３では、これにより、受信端末機１３では、端末制御部４１の制御下で、アドレス情報Ａが所在を示す獲得票数ランキングＲａ（各表示情報Ｉｄ）を端末表示部４４に表示できる（図４から図６参照）。【００３５】
また、配信制御部５１は、配信操作部５２による各種設定や実行のための画面を配信表示部５４に表示させる機能を有する。配信制御部５１は、配信操作部５２への操作に基づき、あるいは配信記憶部５５（内部メモリ５１ａ）に記憶されたプログラムに従い、上述した各動作（制御）を適宜実行する。【００３６】
配信操作部５２は、獲得票数ランキングＲａ（各表示情報Ｉｄ）の作成や、各ウェブサイトＷｓおよび各アドレス情報Ａの個別の設定の操作を行う箇所である。この配信操作部５２は、実施例１では、コンピュータに接続されたキーボードや、マウス等のポインティングデバイスで構成する。なお、配信操作部５２は、配信表示部５４をタッチパネルの機能を搭載するものとして、その配信表示部５４により構成してもよい。【００３７】
配信通信部５３は、配信装置１４に接続された外部機器や、配信装置１４が内蔵する内部機器や、ネットワーク接続されたサーバ等から適宜データの取得や配信（出力）を可能とする。その取得するデータとしては、獲得票数ランキングＲａ（各表示情報Ｉｄ）を作成するためのデータ（獲得票数Ｖ）がある。また、配信通信部５３は、端末通信部４５を介して受信端末機１３（その端末制御部４１）や、制御通信部３３を介して制御装置１２（その演算制御部３１）と、データの遣り取りを可能とする。そのデータとしては、各受信端末機１３からのアドレス情報（アドレス情報Ａを含む）や、各受信端末機１３へのウェブサイト（ウェブサイトＷｓ（獲得票数ランキングＲａ（各表示情報Ｉｄ））（図２参照）を含む）がある。【００３８】
配信表示部５４は、液晶ディスプレイで形成され、配信制御部５１の制御下で、獲得票数ランキングＲａ（各表示情報Ｉｄ）（その作成のための画面も含む）等を表示する。配信記憶部５５は、配信制御部５１の制御下で、各種データやプログラムを記憶するとともに、それらの読み出しを可能とする。この配信記憶部５５は、実施例１では、配信装置１４を発信機１１、制御装置１２および各受信端末機１３と協働して情報提供システム１０を構成させるプログラムを記憶（保存）する。また、配信記憶部５５は、獲得票数ランキングＲａ（各表示情報Ｉｄ）の作成や、各ウェブサイトＷｓおよび各アドレス情報Ａの個別の設定のためのアプリケーションを記憶（保存）する。そして、配信記憶部５５は、各獲得票数ランキングＲａ（各表示情報Ｉｄ）と、それぞれに個別に対応するウェブサイトＷｓおよびアドレス情報Ａと、を適宜記憶（保存）する。【００３９】
次に、表示情報Ｉｄとしての複数の獲得票数ランキングＲａを設定し、それを表示させる各ウェブサイトＷｓのアドレス情報Ａと発信機１１で設定された識別情報Ｄｉとを対応付ける様子の一例を、図３を用いて説明する。なお、この例では、時刻ｔ、識別情報Ｄｉ、発信信号Ｓｄ、アドレス情報Ａおよび獲得票数ランキングＲａ（表示情報Ｉｄ）は、それぞれ複数存在することから、以下では個別に示す際には各符号の末尾にｎ（ｎは１以上の自然数）を付して示す。【００４０】
先ず、発信機１１では、上述したように複数の識別情報Ｄｉが予め設定され、この例では５つの識別情報Ｄｉが設定されているものとする。このため、発信機１１は、制御装置１２から発信操作Ｏｄが入力されると（時刻ｔ１）、最初の識別情報Ｄｉ１を符号化した発信信号Ｓｄ１を発信（出力）し、それ以降は所定の時間間隔（発信操作Ｏｄが為された場合にはそのタイミング）で識別情報Ｄｉ２から識別情報Ｄｉ５を符号化した発信信号Ｓｄ２から発信信号Ｓｄ５を時刻ｔ２から時刻ｔ５にかけて順番に発信（出力）する。この発信機１１における識別情報Ｄｉの設定数および時間間隔は、制御装置１２および配信装置１４へと予め送信（出力）される。【００４１】
その配信装置１４は、表示情報Ｉｄ（Ｉｄ１からＩｄ５）として、発信機１１の設定に合わせて、時刻ｔ１から時刻ｔ５にかけて順番に配信するための各出場者（各演者Ｐ）の獲得票数Ｖの順位の情報（各獲得票数ランキングＲａ）を生成する（配信情報生成処理）。この例では、時刻ｔ１に配信する獲得票数ランキングＲａ１を、図４に示すように、各出場者（各演者Ｐ）の獲得票数Ｖの順位の情報を配信する旨の告知の情報とする。また、時刻ｔ２から時刻ｔ５にかけて順番に配信する獲得票数ランキングＲａ（Ｒａ２からＲａ５）を、図５、図６に示すように、各時刻（ｔ２からｔ５）に集計した各出場者（各演者Ｐ）の獲得票数Ｖに基づく順位を示す情報とする。そして、配信装置１４は、各獲得票数ランキングＲａ（Ｒａ１からＲａ５）を表示させるウェブサイトＷｓ（Ｗｓ１からＷｓ５）とそれぞれのアドレス情報Ａ（Ａ１からＡ５）とを設定し、それらの情報を制御装置１２に送る。【００４２】
その制御装置１２は、各獲得票数ランキングＲａ（Ｒａ１からＲａ５）に対応するアドレス情報Ａ（Ａ１からＡ５）を、時刻ｔ１から時刻ｔ５にかけて順番に配信すべく各識別情報Ｄｉ（Ｄｉ１からＤｉ５）に順番に対応させる。これにより、受信端末機１３から発信（出力）される各発信信号Ｓｄ（それが示す各識別情報Ｄｉ）が、配信装置１４が設定した各獲得票数ランキングＲａ（Ｒａ１からＲａ５）のアドレス情報Ａ（Ａ１からＡ５）にそれぞれ対応される。そして、制御装置１２は、受信端末機１３から発信信号Ｓｄ（Ｓｄ１からＳｄ５）を復号した識別情報Ｄｉ（Ｄｉ１からＤｉ５）が送信されると、その識別情報Ｄｉに対応するアドレス情報Ａ（Ａ１からＡ５）を当該受信端末機１３へと送信する。ここで、受信端末機１３は、時間の経過に伴い発信信号Ｓｄ１から発信信号Ｓｄ５を順番に取得し、識別情報Ｄｉ１から識別情報Ｄｉ５を順番に取得する。このため、受信端末機１３は、識別情報Ｄｉ（発信信号Ｓｄ）を受け取った時刻ｔに応じたアドレス情報Ａを取得することができ、その時刻ｔに応じた獲得票数ランキングＲａを端末表示部４４に表示させることができる。【００４３】
次に、この情報提供システム１０の配信装置１４の配信制御部５１で実行される配信情報生成処理（そのアプリケーション）の一例について図７を用いて説明する。配信制御部５１は、各出場者（各演者Ｐ）の獲得票数Ｖの情報を取得することで配信情報生成処理を実行できる。その獲得票数Ｖの情報は、興行を行う場所（劇場Ｔｈ）や、当該興行に関連する投票の集計や物品の販売を行うウェブサイトから取得できる。また、獲得票数Ｖの情報は、配信操作部５２の入力により取得してもよい。その図７は、実施例１の配信制御部５１（配信装置１４）で実行される一例としての配信情報生成処理を示すフローチャートであり、以下ではその各ステップについて説明する。このフローチャートは、上記したアプリケーションが起動されることで開始する。【００４４】
ステップＳ１は、変数ｎを１（ｎ＝１）として、ステップＳ２へ進む。この変数ｎは、これから生成する獲得票数ランキングＲａが何個目（何番目の順番）であるのか、すなわち発信機１１で設定された各識別情報Ｄｉを送信（出力）する時刻ｔｎのうちのいずれに対応させるのかをカウントするために用いるものであり、ステップＳ１では当該変数ｎを１とする。【００４５】
ステップＳ２は、時刻ｔｎとなったか否かを判断し、ＹＥＳの場合はステップＳ３へ進み、ＮＯの場合はステップＳ２を繰り返す。このステップＳ２は、発信機１１で設定された各識別情報Ｄｉの時間間隔を用いて時刻ｔｎとなったか否かを判断する。なお、制御装置１２で発信操作Ｏｄが為された場合には、時刻ｔｎとなっていなくてもＹＥＳと判断する。この場合には、以降の時刻ｔｎとなったか否かの判断は、発信操作Ｏｄが為された時点を基準として発信機１１で設定された時間間隔を用いて行う。【００４６】
ステップＳ３は、時刻ｔｎでの獲得票数Ｖｎの情報を取得して、ステップＳ４へ進む。このステップＳ３は、配信通信部５３または配信操作部５２を介して時刻ｔｎでの獲得票数Ｖｎの情報を取得する。なお、実施例１では、１回目に生成するものは、上述したように各出場者（各演者Ｐ）の獲得票数Ｖｎの順位の情報を配信する旨の告知の情報（図４参照）とするので、ｎ＝１の場合にはこのステップＳ３では獲得票数Ｖｎの情報は取得しない。このため、実施例１では、ｎ＝１の場合には、以下のステップＳ４およびステップＳ５は何も行うことなくステップＳ６へと進む。【００４７】
ステップＳ４は、出場者（この例では演者Ｐ）毎の獲得票数Ｖｎを算出して、ステップＳ５へ進む。このステップＳ４は、ステップＳ３で取得した獲得票数Ｖｎの情報から、出場者（演者Ｐ）毎の獲得票数Ｖｎを算出する。この算出は、例えば、投票数を獲得票数Ｖとした場合には、単純に出場者（演者Ｐ）毎の投票数を集計する。また、この算出は、例えば、物品の売り上げを獲得票数Ｖとした場合には、単純に出場者（演者Ｐ）毎の売り上げ点数を集計したり、単純に出場者（演者Ｐ）毎の売上金額を集計したり、出場者（演者Ｐ）毎に売り上げ点数や金額に応じたポイントを集計したりする。さらに、この算出は、例えば、投票数および物品の売り上げを獲得票数Ｖとした場合には、出場者（演者Ｐ）毎に、それぞれに応じたポイントを合算したものを集計する。【００４８】
ステップＳ５は、各出場者（各演者Ｐ）の獲得票数Ｖｎで見た順位を求めて、ステップＳ６へ進む。このステップＳ５は、ステップＳ４で算出した出場者（演者Ｐ）毎の獲得票数Ｖｎに応じて、出場者（演者Ｐ）の順位を求める。【００４９】
ステップＳ６は、ステップＳ５で求めた順位を表示する表示情報Ｉｄとしての獲得票数ランキングＲａｎを生成して、ステップＳ７へ進む。このステップＳ６は、ステップＳ５で求めた出場者（演者Ｐ）の順位を表示する獲得票数ランキングＲａｎ（図４から図６）を生成する。この獲得票数ランキングＲａｎは、実施例１では、ｎ＝１の場合に生成するものは、図４に示すように、各出場者（各演者Ｐ）の獲得票数Ｖの順位の情報を配信する旨の告知の情報とし、この中で獲得票数Ｖとしてのポイントについての説明を行う。また、獲得票数ランキングＲａｎは、実施例１では、図５、図６に示すように、ｎが２以上の場合に生成するものは獲得票数Ｖｎで見た順位を示すものとし、左端に順位を、その右横に出場者（演者Ｐ）の名前（区別のためにＰの後に１以上の自然数を付して示す）を、その右横に対応する出場者（演者Ｐ）が獲得した獲得票数Ｖｎ（実施例１では投票数および物品の売り上げに応じたポイント）を、それぞれ示す。また、実施例１では、ｎが３以上の場合に生成する獲得票数ランキングＲａｎにおいて、図９に示すように、右端（獲得票数Ｖｎの右横）に前回の順位からの変動を示す矢印を表示する。このステップＳ４からＳ６は、ステップＳ３で得たデータに基づき自動で行うものでもよく、当該データを用いつつ配信操作部５２に為された操作に応じて行うものでもよい。【００５０】
ステップＳ７は、獲得票数ランキングＲａｎのアドレス情報Ａｎを設定して、ステップＳ８へ進む。このステップＳ７は、ステップＳ６で生成した獲得票数ランキングＲａｎを表示させるウェブサイトＷｓｎとそのアドレス情報Ａｎとを設定し、それらを配信記憶部５５に記憶する。このステップＳ７は、ウェブサイトＷｓｎとそのアドレス情報Ａｎとを自動で設定するものでもよく、それらを配信操作部５２に為された操作に応じて設定するものでもよい。【００５１】
ステップＳ８は、ステップＳ７で設定したアドレス情報Ａｎを制御装置１２に送信して、ステップＳ９へ進む。このステップＳ８は、ステップＳ７で設定したアドレス情報Ａｎに変数ｎと組み合わせて、配信通信部５３および制御通信部３３を介して制御装置１２（その演算制御部３１）へと送信（出力）する。【００５２】
ステップＳ９は、ｎ＋１を新たな変数ｎとして、ステップＳ１０へ進む。このステップＳ９は、ステップＳ４からステップＳ８で獲得票数ランキングＲａを生成して制御装置１２に送信（出力）したので、次の順番の獲得票数ランキングＲａを生成すべく、変数ｎ（その現状の値）に１を加算して新たな変数ｎ（ｎ＝ｎ＋１）とする。【００５３】
ステップＳ１０は、興行が終了したか否かを判断し、ＹＥＳの場合はこの配信情報生成処理を終了し、ＮＯの場合はステップＳ２へ戻る。このステップＳ１０は、対象とする興行（実施例１では演劇Ｄｒ）が終了したか否かを判断する。この判断は、予め設定された興行（演劇Ｄｒ）の終了時刻になったことや、終了を示す信号が配信操作部５２や配信通信部５３から入力されることで行う。【００５４】
この図７に示す配信情報生成処理により、配信制御部５１は、各時刻ｔにおける出場者（演者Ｐ）毎の獲得票数Ｖｎで見た順位を示す獲得票数ランキングＲａｎを生成し、そのウェブサイトＷｓｎとそのアドレス情報Ａｎとを設定する。そして、それらを配信記憶部５５に記憶するとともに、そのアドレス情報Ａｎを変数ｎと組み合わせて演算制御部３１に送信（出力）する。なお、このように獲得票数ランキングＲａｎを生成してアドレス情報Ａｎを設定するものであれば、図７とは異なる生成処理でもよく、実施例１に限定されない。これにより、制御装置１２が各時刻ｔにおける獲得票数ランキングＲａｎのアドレス情報Ａｎを取得し、配信装置１４が各受信端末機１３からのアドレス情報Ａｎに基づく要求に対して対応する獲得票数ランキングＲａｎを配信可能となる。【００５５】
次に、この情報提供システム１０の制御装置１２の演算制御部３１で実行される対応付処理（そのアプリケーション）の一例について図８を用いて説明する。演算制御部３１は、各時刻ｔにおける獲得票数ランキングＲａｎのアドレス情報Ａｎを取得することで対応付処理を実行できる。それらの取得は、上記したように制御通信部３３を介して制御記憶部３５や内部メモリ３１ａに纏めて入力されてもよく、制御操作部３２により個別に入力されてもよい。図８の例では、制御通信部３３を介して順次入力される。この図８は、実施例１の演算制御部３１（制御装置１２）で実行される一例としての生成処理を示すフローチャートであり、以下ではその各ステップについて説明する。このフローチャートは、上記したアプリケーションが起動されることで開始する。【００５６】
ステップＳ１１は、アドレス情報Ａｎが入力されたか否かを判断し、ＹＥＳの場合はステップＳ１２へ進み、ＮＯの場合はステップＳ１１を繰り返す。このステップＳ１１は、制御通信部３３を介して配信装置１４からアドレス情報Ａｎが入力されたか否かを判断する。【００５７】
ステップＳ１２は、ステップＳ１１で入力されたアドレス情報Ａｎと識別情報Ｄｉｎとを対応付けて、ステップＳ１３へ進む。このステップＳ１２は、配信装置１４から入力されたアドレス情報Ａｎを、それに組み合わされた変数ｎを有する識別情報Ｄｉｎに対応させ、それらを制御記憶部３５に記憶する。【００５８】
ステップＳ１３は、興行が終了したか否かを判断し、ＹＥＳの場合はこの対応付処理を終了し、ＮＯの場合はステップＳ１１へ戻る。このステップＳ１３は、対象とする興行（実施例１では演劇Ｄｒ）が終了したか否かを判断する。この判断は、予め設定された興行（演劇Ｄｒ）の終了時刻になったことや、終了を示す信号が制御操作部３２や制御通信部３３から入力されることで行う。【００５９】
この図８に示す対応付処理により、演算制御部３１は、配信装置１４（配信制御部５１）からアドレス情報Ａｎを取得すると、そこに組み合わされた変数ｎを有する識別情報Ｄｉｎに当該アドレス情報Ａｎを対応させて、制御記憶部３５に記憶する。なお、このようにアドレス情報Ａｎを識別情報Ｄｉｎに対応させるものであれば、図８とは異なる対応付処理でもよく、実施例１に限定されない。ここで、発信機１１は、上述したように識別情報Ｄｉｎを符号化した発信信号Ｓｄｎを、時刻ｔｎから順番に発信する。このため、制御装置１２は、発信機１１が時刻ｔｎから順番に発信する発信信号Ｓｄｎを、時刻ｔｎにおける獲得票数ランキングＲａｎを示すアドレス情報Ａｎに対応させることができる。これにより、制御装置１２は、上述したように受信端末機１３から識別情報Ｄｉｎが送信されると、それに対応するアドレス情報Ａｎを受信端末機１３に送信することができる。【００６０】
次に、発信機１１の発信制御部２１で実行される発信処理（そのアプリケーション）の一例について説明する。この発信処理は、発信機１１（その発信出力部２３）が発信信号Ｓｄを発信（出力）するものであり、図９を用いて説明する。その図９は、実施例１の発信制御部２１（発信機１１）で実行される一例としての発信処理を示すフローチャートであり、以下ではその各ステップについて説明する。このフローチャートは、発信機１１において発信処理のためのアプリケーションが起動されて、制御装置１２から発信操作Ｏｄが入力されることで開始する。【００６１】
ステップＳ２１は、変数ｎを１（ｎ＝１）として、ステップＳ２２へ進む。この変数ｎは、発信信号Ｓｄを発信する時刻ｔが何番目の順番とされたものであるのかをカウントするために用いるものであり、ステップＳ２１では当該変数ｎを１とする。【００６２】
ステップＳ２２は、ｎ番目の時刻ｔｎとなったか否かを判断し、ＹＥＳの場合はステップＳ２４へ進み、ＮＯの場合はステップＳ２３へ進む。このステップＳ２２は、ｎ番目の時刻ｔｎとなったか否か、すなわちｎ−１番目の時刻ｔとなってからそこに設定された時間間隔が経過したか否かを判断する。このため、この発信処理が開始されて最初のステップＳ２２では、１番目の時刻ｔｎとなるのでＹＥＳと判断してステップＳ２３へ進む。【００６３】
ステップＳ２３は、発信操作Ｏｄが入力されたか否かを判断し、ＹＥＳの場合はステップＳ２４へ進み、ＮＯの場合はステップＳ２６へ進む。このステップＳ２２は、制御通信部３３および発信通信部２２を介して制御装置１２から発信操作Ｏｄが入力されたか否かを判断する。【００６４】
ステップＳ２４は、時刻ｔｎに設定された発信信号Ｓｄｎを発信（出力）して、ステップＳ２５へ進む。このステップＳ２４は、時刻ｔｎ（ｎ番目）に設定された識別情報Ｄｉｎを符号化した発信信号Ｓｄｎを発信出力部２３から発信（出力）させる（発信処理）。【００６５】
ステップＳ２５は、ｎ＋１を新たな変数ｎとして、ステップＳ２６へ進む。このステップＳ２５は、ステップＳ２４で発信信号Ｓｄｎを発信（出力）したので、次の順番の時刻ｔに設定された発信信号Ｓｄを発信（出力）すべく、変数ｎ（その現状の値）に１を加算して新たな変数ｎ（ｎ＝ｎ＋１）とする。【００６６】
ステップＳ２６は、興行が終了したか否かを判断し、ＹＥＳの場合はこのステップＳ２７へ進み、ＮＯの場合はステップＳ２２へ戻る。このステップＳ２６は、対象とする興行（実施例１では演劇Ｄｒ）が終了したか否かを判断する。この判断は、予め設定された興行（演劇Ｄｒ）の終了時刻になったことや、終了を示す信号が発信通信部２２から入力されることや、発信機１１において駆動を停止する操作や発信処理を終了する操作が為されたりすることで行う。【００６７】
ステップＳ２７は、発信を停止する指令を発信機１１へと出力して発信処理を終了する。【００６８】
この図９に示す発信処理により、発信出力部２３は、予め設定された各識別情報Ｄｉｎに対応する各発信信号Ｓｄｎを、予め設定された順番で予め設定された時刻ｔｎに（時間間隔で）発信する。また、発信出力部２３は、制御装置１２の制御操作部３２からの発信操作Ｏｄの信号を受けると、時刻ｔｎではなくても当該時刻ｔｎに対応する発信信号Ｓｄを直ちに発信する。この発信信号Ｓｄは、各受信端末機１３により受信される。【００６９】
次に、その受信端末機１３の端末制御部４１で実行される識別情報取得処理（そのアプリケーション）の一例について説明する。この識別情報取得処理は、発信機１１から発信された発信信号Ｓｄから識別情報Ｄｉを取得するものであり、図１０を用いて説明する。その図１０は、実施例１の端末制御部４１（受信端末機１３）で実行される一例としての識別情報取得処理を示すフローチャートであり、以下ではその各ステップについて説明する。このフローチャートは、受信端末機１３において識別情報取得処理のためのアプリケーションが起動されることで開始する。【００７０】
ステップＳ３１は、発信信号Ｓｄｎを受信したか否かを判断し、ＹＥＳの場合はステップＳ３２へ進み、ＮＯの場合はステップＳ３１を繰り返す。このステップＳ３１は、受信端末機１３の受信部４２で発信信号Ｓｄｎを受信したかを判断する。【００７１】
ステップＳ３２は、ステップＳ３１で受信した発信信号Ｓｄｎが示す識別情報Ｄｉｎを端末記憶部４６に記憶（保存）してステップＳ３３へ進む。このステップＳ３２は、受信した発信信号Ｓｄｎを識別情報Ｄｉｎに復号し、その識別情報Ｄｉｎを端末記憶部４６に記憶（保存）する。なお、ステップＳ３２は、ステップＳ３１で受信した発信信号Ｓｄｎが既に端末記憶部４６に記憶されている場合には、端末記憶部４６に記憶させない。また、記憶させないことに替えて、ステップＳ３１で発信信号Ｓｄｎにおいて受信を行わせないものでもよい。【００７２】
ステップＳ３３は、識別情報取得処理を終了するか否かを判断し、ＹＥＳの場合は識別情報取得処理を終了し、ＮＯの場合はステップＳ３１へ戻る。このステップＳ３３は、識別情報取得処理のためのアプリケーションが続行されると識別情報Ｄｉの取得を継続すべくステップＳ３１へ戻り、そのアプリケーションが終了されると識別情報Ｄｉの取得を終了する。そのアプリケーションの続行は、当該アプリケーションを終了させる操作が為されていないことや、続行の有無を確認させることにより判断する。また、この続行は、配信制御部５１での配信情報生成処理（図７参照）や演算制御部３１での対応付処理（図８参照）や発信制御部２１での発信処理（図９参照）のように、対象とする興行（実施例１では演劇Ｄｒ）が終了していないことで判断してもよい。【００７３】
この図１０に示す識別情報取得処理により、各受信端末機１３（端末制御部４１）では、発信機１１から発信された複数の発信信号Ｓｄが示す複数の識別情報Ｄｉを取得して端末記憶部４６に記憶する。その各受信端末機１３（端末制御部４１）は、端末記憶部４６に記憶した各識別情報Ｄｉを用いて対応する各アドレス情報Ａの取得が可能となる。【００７４】
次に、その受信端末機１３の端末制御部４１で実行される登録情報取得処理（そのアプリケーション）の一例について説明する。この登録情報取得処理は、取得した各識別情報Ｄｉに対応付けられた各アドレス情報Ａを制御装置１２（その演算制御部３１）から取得するものであり、図１１を用いて説明する。その図１１は、実施例１の端末制御部４１（受信端末機１３）で実行される一例としての登録情報取得処理を示すフローチャートであり、以下ではその各ステップについて説明する。このフローチャートは、登録情報取得処理のためのアプリケーションが起動されることで開始する。なお、当該アプリケーションの起動は、基本的に上記した識別情報取得処理と同時に行われる。【００７５】
ステップＳ４１は、識別情報Ｄｉｎを受信したか否かを判断し、ＹＥＳの場合はステップＳ４２へ進み、ＮＯの場合はステップＳ４１を繰り返す。このステップＳ４１は、上記した識別情報取得処理（図１０参照）により識別情報Ｄｉｎを取得（端末記憶部４６に記憶（保存））したか否かを判断し、その識別情報Ｄｉｎを取得するまで繰り返す。【００７６】
ステップＳ４２は、取得した識別情報Ｄｉｎが対応付けされたアドレス情報Ａｎを取得して、ステップＳ４３へ進む。このステップＳ４２は、端末通信部４５を介して制御装置１２の演算制御部３１にアクセスし、その演算制御部３１から識別情報取得処理で取得した識別情報Ｄｉｎに対応付けされたアドレス情報Ａｎを取得し、それらを対応付けて端末記憶部４６に記憶（保存）する。【００７７】
ステップＳ４３は、アドレス情報Ａｎを取得している旨を通知して、ステップＳ４４へ進む。このステップＳ４３は、少なくとも１つのアドレス情報Ａｎを取得していることを示す通知を行う。その通知は、端末表示部４４にその旨を示す文字やアイコン等を表示してもよく、振動や音を出力するものでもよい。実施例１のステップＳ４３は、取得したアドレス情報Ａｎ毎に取得したことを示すアイコンを表示し、各アイコン（アドレス情報Ａ）の選択を可能とする。ここで、複数のアドレス情報Ａｎを取得している場合には、それらを時系列で並べて端末表示部４４に表示させてもよく、最新のアドレス情報Ａのみを端末表示部４４に表示させてもよく、いずれか１つを切り替え可能に端末表示部４４に表示させてもよい。また、ステップＳ４３は、各アイコンにおいて対応するアドレス情報Ａが示す表示情報Ｉｄの簡単な内容を表示させるものとしてもよい。この内容は、例えば、演算制御部３１（制御装置１２）からアドレス情報Ａｎを取得する際に併せて演算制御部３１から取得してもよく、可能であれば発信機１１（発信出力部２３）からの発信信号Ｓｄｎと併せて取得してもよい。このステップＳ４３は、各アイコンのいずれかが選択されると、ウェブブラウザを起動し、選択されたアイコンに対応するアドレス情報Ａｎが示すＵＲＬ（Ｕｎｉｆｏｒｍ  Ｒｅｓｏｕｒｃｅ  Ｌｏｃａｔｏｒ）を当該ウェブブラウザに渡して当該ＵＲＬにアクセスし、そのＵＲＬが示すウェブサイトＷｓｎの獲得票数ランキングＲａｎ（表示情報Ｉｄ）を端末表示部４４に表示させる。なお、ステップＳ４３では、ウェブサイトＷｓｎへのアクセスは行わなくても良い。そして、この登録情報取得処理では、ステップＳ４３で各アイコンを端末表示部４４に表示させると、当該処理が終了するまでは端末表示部４４での表示を継続する。【００７８】
ステップＳ４４は、登録情報取得処理を終了するか否かを判断し、ＹＥＳの場合は登録情報取得処理を終了し、ＮＯの場合はステップＳ４１へ戻る。このステップＳ４４は、各識別情報Ｄｉに対応付けされたアドレス情報Ａの取得を終了する旨の操作（例えば、当該アプリケーションを終了させる操作）が為されたか否かを判断する。【００７９】
この図１１に示す登録情報取得処理により、各受信端末機１３（端末制御部４１）は、時刻ｔｎとなると、発信機１１から発信された識別情報Ｄｉｎに対応するアドレス情報Ａｎを取得でき、その時刻ｔｎまでの集計結果に基づく獲得票数ランキングＲａｎを取得して端末表示部４４に表示することができる。【００８０】
次に、この情報提供システム１０を用いて、興行の一例である演劇Ｄｒを観に劇場Ｔｈに訪れた各観客Ａｕがこの演劇Ｄｒ（興行）に参加する動作の一例を説明する。この情報提供システム１０は、各観客Ａｕに対して、各自が持つ受信端末機１３において当該システムに対応するアプリケーションを起動するように報知する。ここで、例えば、このアプリケーションを劇場Ｔｈの入り口等で取得可能とすることにより、各観客Ａｕの受信端末機１３における当該アプリケーションの搭載率を高められる。【００８１】
情報提供システム１０では、配信装置１４が配信情報生成処理を実行し、制御装置１２が対応付処理を実行し、発信機１１が発信処理を実行し、受信端末機１３が識別情報取得処理および登録情報取得処理を実行する。すなわち、配信装置１４（配信制御部５１）は、図７のフローチャートのステップＳ１→Ｓ２→Ｓ３→Ｓ４→Ｓ５→Ｓ６→Ｓ７→Ｓ８へと進み、時刻ｔ１に対応する獲得票数ランキングＲａ１と、そのウェブサイトＷｓ１およびアドレス情報Ａ１と、を設定し、そのアドレス情報Ａ１を制御装置１２に送信する。すると、制御装置１２（演算制御部３１）は、図８のフローチャートのステップＳ１１→Ｓ１２へと進み、時刻ｔ１の識別情報Ｄｉ１とアドレス情報Ａ１とを対応させる。そして、発信機１１（発信制御部２１）は、図９のフローチャートのステップＳ２１→Ｓ２２→Ｓ２４へと進み、時刻ｔ１の識別情報Ｄｉ１を符号化した発信信号Ｓｄ１を発信する。すると、受信端末機１３（端末制御部４１）は、図１０のフローチャートのステップＳ３１により発信された発信信号Ｓｄ１を受信し、ステップＳ３２へと進んでその発信信号Ｓｄ１が示す識別情報Ｄｉ１を端末記憶部４６に記憶（保存）する。そして、受信端末機１３（端末制御部４１）は、図１１のフローチャートのステップＳ４１→Ｓ４２→Ｓ４３へと進み、受信した識別情報Ｄｉ１に対応するアドレス情報Ａ１を取得して、そのアドレス情報Ａ１を取得した旨を通知すべく選択可能なアイコンを表示する。そして、受信端末機１３では、アイコンが選択されると、それに対応するアドレス情報Ａ１が所在を示すウェブサイトＷｓ１にアクセスして端末表示部４４に表示させる。すると、受信端末機１３では、図４に示すように、時刻ｔ１における獲得票数ランキングＲａ１が端末表示部４４に表示され、実施例１では各出場者（各演者Ｐ）の獲得票数Ｖｎの順位の情報を配信する旨の告知が表示される。これにより、情報提供システム１０では、時刻ｔ１に設定された表示情報Ｉｄとしての獲得票数ランキングＲａ１を各観客Ａｕの受信端末機１３に提供できる。【００８２】
その後、情報提供システム１０では、配信装置１４が図７のフローチャートのステップＳ８→Ｓ９→Ｓ１０→Ｓ１へと進んで上記したことを繰り返し、制御装置１２が図８のフローチャートのステップＳ１２→Ｓ１３→Ｓ１１へと進んで上記したことを繰り返し、発信機１１が図９のフローチャートのステップＳ２５→Ｓ２６→Ｓ２２へと進んで上記したことを繰り返し、受信端末機１３が図１０のフローチャートのステップＳ３２→Ｓ３３→Ｓ３１へと進んで上記したことを繰り返すとともに図１１のフローチャートのステップＳ４３→Ｓ４４→Ｓ４１へと進んで上記したことを繰り返す。これらにより、情報提供システム１０では、時刻ｔｎに設定された表示情報Ｉｄｎとしての獲得票数ランキングＲａｎを各観客Ａｕの受信端末機１３に提供でき（図５参照）、時刻ｔｎ＋１に設定された表示情報Ｉｄｎとしての獲得票数ランキングＲａｎ＋１を各観客Ａｕの受信端末機１３に提供できる（図６参照）。このように、情報提供システム１０では、興行が終わるまでの間、獲得票数ランキングＲａｎを随時更新して各観客Ａｕの受信端末機１３に提供できる。【００８３】
上記した構成であるため、本発明に係る情報提供システムの一実施例としての情報提供システム１０は、以下の各作用効果を得られる。【００８４】
情報提供システム１０は、興行（実施例１では演劇Ｄｒ）を行う場所に集まった人々が持つ各受信端末機１３に、最新の獲得票数ランキングＲａを取得させて表示させることができる。このため、情報提供システム１０は、各観客Ａｕが、単に興行（演劇Ｄｒ）を観るだけではなく、この興行に参加させることができ、当該興行を盛り上げることができる。すなわち、各観客Ａｕは、興行における出場者（演者Ｐ）のパフォーマンス（演技や歌やプレー等）が良いと思うと、当該出場者に投票したり当該出場者に関連するグッズ（物品）を購入したりする。すると、情報提供システム１０は、それらの行動を獲得票数Ｖとし、その獲得票数Ｖに基づく各出場者の順位をリアルタイムで各観客Ａｕの受信端末機１３に表示させる。このため、各観客Ａｕは、自らの行動が最新の獲得票数ランキングＲａに影響を与えることをリアルタイムで認識できるので、投票やグッズ（物品）の購入により興行に参加できることとなる。このように、情報提供システム１０は、各観客Ａｕを興行に参加させることができ、興行を各観客Ａｕと一体となって盛り上げることができる。加えて、各出場者は、観に来ている各観客Ａｕの生の反応を獲得票数ランキングＲａで知ることができるため、モチベーションの向上に繋がるので、当該興行の質の向上にも繋がる。【００８５】
また、情報提供システム１０は、予め設定された時間間隔（各時刻ｔ）で、最新の獲得票数ランキングＲａへのアドレス情報Ａを各観客Ａｕの受信端末機１３に送信するので、各観客Ａｕに検索をさせることなく、最新の獲得票数ランキングＲａを提供できる。このため、情報提供システム１０は、従来であれば獲得票数ランキングＲａに興味がない客層や検索等の迂遠な作業によりウェブサイトＷｓに訪れなかった人々のような潜在的な客層であっても、興行（演劇Ｄｒ）への参加を積極的に働きかけることができ、興行をより盛り上げることができる。【００８６】
さらに、情報提供システム１０は、リアルタイムで変化する獲得票数ランキングＲａの通知により興行（演劇Ｄｒ）を盛り上げるので、当該興行を行う場所（この例では演劇Ｄｒを行う劇場Ｔｈ）に居ながら獲得票数ランキングＲａの獲得票数Ｖを増やす行動に関心が薄い観客Ａｕに対しても、当該行動への関心を喚起できる。このため、情報提供システム１０は、各観客Ａｕの獲得票数Ｖを増やす行動を増加させることができ、興行をより盛り上げることができる。【００８７】
情報提供システム１０は、観に来ている各観客Ａｕの生の反応を獲得票数ランキングＲａで知ることができるため、興行（演劇Ｄｒ）を行う興行主が各出場者（演者Ｐ）の人気等を適切にかつ迅速に把握できる。このため、情報提供システム１０は、興行（演劇Ｄｒ）における広告や物販の戦略を立てる際の適切な情報を興行主に迅速に取得させることができる。【００８８】
情報提供システム１０は、各出場者（演者Ｐ）の順位を決める獲得票数Ｖを任意に設定して獲得票数ランキングＲａを生成できる。このため、情報提供システム１０は、興行の種類や場所に応じて獲得票数Ｖを設定することで、興行をより盛り上げることができる。また、獲得票数Ｖは、投票であれば興行を行う場所（劇場Ｔｈ）に設置した投票箱への投票や、物品の売り上げであれば当該場所に設けた販売所での売り上げ等も反映できるので、興行をより盛り上げることができる。【００８９】
情報提供システム１０は、発信操作Ｏｄを行うことで、予め設定された時刻ｔではなくても、発信信号Ｓｄを発信機１１から発信（出力）させることができ、各観客Ａｕの受信端末機１３に獲得票数ランキングＲａを取得させることができる。このため、情報提供システム１０は、対象とする興行（演劇Ｄｒ）が当初の予定通りに進行していない場合等の急遽の変更に対応させて獲得票数ランキングＲａを提供できる。【００９０】
情報提供システム１０は、配信装置１４が各獲得票数ランキングＲａおよびその各アドレス情報Ａを設定し、制御装置１２がその各アドレス情報Ａと各識別情報Ｄｉとの対応付けを行う。そして、情報提供システム１０は、発信機１１が各識別情報Ｄｉを符号化した各発信信号Ｓｄを発信（出力）し、各受信端末機１３が各発信信号Ｓｄを受信し対応する各アドレス情報Ａから各獲得票数ランキングＲａ（表示情報Ｉｄ）を取得する。このため、情報提供システム１０は、単一の制御装置１２および配信装置１４に対して、様々な興行を行う場所（劇場Ｔｈ）のそれぞれに発信機１１を設けることで、各場所で行われる様々な興行に対してそれぞれに対応する各獲得票数ランキングＲａをリアルタイムで提供できる。すなわち、情報提供システム１０は、対応するアプリケーションを搭載した複数の発信機１１を用意すれば、異なる場所に設けた各発信機１１と単一の制御装置１２および配信装置１４とにより、同時に様々な興行に用いてその各興行を盛り上げることができる。【００９１】
情報提供システム１０は、配信装置１４が各獲得票数ランキングＲａおよびその各アドレス情報Ａを設定し、制御装置１２がその各アドレス情報Ａと各識別情報Ｄｉとの対応付けを行い、発信機１１と各受信端末機１３とでは各発信信号Ｓｄのみの遣り取りにできる。このため、情報提供システム１０は、発信機１１から発信させる発信信号Ｓｄの情報量を小さくできるので、各獲得票数ランキングＲａの提供先となる各受信端末機１３に求められる能力を小さくでき、より多くの者に複数の情報を簡易に取得させることができる。【００９２】
したがって、本発明に係る情報提供システム１０は、興行（演劇Ｄｒ）を盛り上げることに寄与できる。【００９３】
なお、上記した実施例１では、本発明に係る情報提供システムおよびプログラムについて説明したが、アドレス情報に対応する表示情報を配信する配信装置と、前記アドレス情報に識別情報を対応させる制御装置と、興行を行う場所に配置され、前記識別情報を符号化した発信信号を発信する発信機と、前記発信機から発信された前記発信信号を受信して前記識別情報に復号する受信端末機と、を備え、前記表示情報は、前記興行の各出場者が獲得した獲得票数の順位を示し、前記配信装置は、前記獲得票数の順位を示す前記表示情報を所定の時間毎に更新し、その複数の前記表示情報に対応して前記アドレス情報を設定し、前記制御装置は、前記受信端末機から前記識別情報を受け取ると、その前記識別情報に対応するものとして最新の前記表示情報に対応する前記アドレス情報を前記受信端末機に送る情報提供システム、または、アドレス情報に対応する表示情報を配信する配信装置と、前記アドレス情報に識別情報を対応させる制御装置と、興行を行う場所に配置され、前記識別情報を符号化した発信信号を発信する発信機と、前記発信機から発信された前記発信信号を受信して前記識別情報に復号する受信端末機と、を備え、前記表示情報が前記興行の各出場者が獲得した獲得票数の順位を示す情報提供システムに、前記配信装置に、前記獲得票数の順位を示す前記表示情報を所定の時間毎に更新させ、その複数の前記表示情報に対応して前記アドレス情報を設定させる機能と、前記制御装置に、前記受信端末機から前記識別情報を受け取ると、その前記識別情報に対応するものとして最新の前記表示情報に対応する前記アドレス情報を前記受信端末機に送る機能と、を実現させるプログラムであればよく、上記した実施例１に限定されるものではない。【００９４】
また、上記した実施例１では、発信機１１が予め設定された複数の識別情報Ｄｉを符号化した発信信号Ｓｄを順番に発信（出力）している。しかしながら、制御装置１２が最新の獲得票数ランキングＲａ（表示情報Ｉｄ）に対応するアドレス情報Ａを各受信端末機１３に送ることを可能とすれば、他の構成でもよく、上記した実施例１の構成に限定されない。その一例として、発信機１１が発信する発信信号Ｓｄを変更可能な構成とすることができる。その場合には、制御装置１２が複数の識別情報Ｄｉを設定し、その各識別情報Ｄｉと各アドレス情報Ａとを対応付けし、制御装置１２または発信機１１が各識別情報Ｄｉを符号化して発信信号Ｓｄを生成し、その各発信信号Ｓｄを発信機１１が発信すればよい。このような発信機１１は、例えば、専用の端末機、スマートフォン、パーソナルコンピュータ、およびタッチパッド等で形成できる。また、他の例として、単一の発信信号Ｓｄを発信（出力）する発信機１１を複数用意し、その複数の発信機１１を順番に駆動してもよい。さらに、他の例として、単一の発信信号Ｓｄを発信（出力）する発信機１１を１つだけ用意し、その発信信号Ｓｄに対応する識別情報Ｄｉに対して、制御装置１２が最新の獲得票数ランキングＲａ（表示情報Ｉｄ）に対応するアドレス情報Ａを設定させるべく書き替えるものとしてもよい。すなわち、制御装置１２は、配信装置１４から最新の獲得票数ランキングＲａ（表示情報Ｉｄ）のアドレス情報Ａを取得すると、そのアドレス情報Ａを単一の発信信号Ｓｄに対応付けすることで、各受信端末機１３に送ったアドレス情報Ａによる最新の獲得票数ランキングＲａ（表示情報Ｉｄ）へのアクセスを可能としてもよい。【００９５】
さらに、上記した実施例１では、更新した獲得票数ランキングＲａ毎に表示させるウェブサイトＷｓとそのアドレス情報Ａとを設定していた。しかしながら、制御装置１２が最新の獲得票数ランキングＲａ（表示情報Ｉｄ）に対応するアドレス情報Ａを各受信端末機１３に送ることを可能とすれば、他の構成でよく、上記した実施例１の構成に限定されない。その一例として、ウェブサイトＷｓとそのアドレス情報Ａとを固定し、その中で表示する獲得票数ランキングＲａ（表示情報Ｉｄ）を適宜更新するものとしてもよい。その場合、各時刻ｔにおいて、獲得票数ランキングＲａを更新した旨の通知をするとともに、固定したアドレス情報Ａを送るものとすることで、上記した実施例１と同様の効果を得られる。【００９６】
上記した実施例１では、表示情報Ｉｄの一例として、図４から図６の獲得票数ランキングＲａの各画面を示したが、興行（演劇Ｄｒ）の各出場者（演者Ｐ）が獲得した獲得票数Ｖの順位を示すものであれば、他の画面（構成）でもよく、上記した実施例１に限定されない。【００９７】
上記した実施例１では、発信機１１から発信する発信信号Ｓｄをブルートゥースロウエナジーの無線通信方式でビーコンの管理フレームを用いたものとしていたが、近距離無線通信を利用して識別情報Ｄｉを符号化した発信信号Ｓｄを発信するものであれば、他のビーコンや同様の機能を有するものでもよく、音響（音楽や音声）に重畳させてコードリーダで読み取ることで取り出せるものでもよく、上記した実施例１の構成に限定されない。この最後に述べたように音響に重畳させると、音響の出力機器から発信信号Ｓｄを出力できるので、発信信号Ｓｄの出力のためだけの発信機１１を設ける必要がなく、より簡易な構成にできる。【００９８】
以上、本発明の情報提供システムおよびプログラムを実施例１に基づき説明してきたが、具体的な構成については実施例１に限られるものではなく、本発明の要旨を逸脱しない限り、設計の変更や追加等は許容される。また、構成部材の数、位置、形状等は実施例１に限定されず、本発明を実施する上で好適な数、位置、形状等にできる。
【図１】
2018011875.tif 000003
【図２】
2018011875.tif 000004
【図３】
2018011875.tif 000005
【図４】
2018011875.tif 000006
【図５】
2018011875.tif 000007
【図６】
2018011875.tif 000008
【図７】
2018011875.tif 000009
【図８】
2018011875.tif 000010
【図９】
2018011875.tif 000011
【図１０】
2018011875.tif 000012
【図１１】
2018011875.tif 000013
【国際調査報告】
2018011875.tif 000014
2018011875.tif 000015